(57)【要約】【課題】  特別な経験や技術を必要とせず誰もが簡単に魚を釣れるように自動合わせ機能を備えた浮子を提供する。【解決手段】  発泡スチロールなどの浮力の大きな材質で、半径が釣針の全長の約１．０倍から１．５倍で、長さが半径の約２．５倍から４．０倍のほぼ円柱状の本体と、仕掛け重量の約５０から７０％を担える浮力を有するフロートを本体の外周の吊下点に吊り下げ、その吊下点から中心角度が９０度から１７０度の範囲の位置に取り付けたバランス用錘と、魚信を目立たせるための目印を具備することを特徴とする。【選択図】図１
2010110271.tif 000002
【特許請求の範囲】
【請求項１】
魚釣り用浮子において、発泡スチロールなどの浮力の大きな材質で、半径が釣針の全長の約１．０倍から１．５倍で、長さが半径の約２．５倍から４．０倍のほぼ円柱状の本体と、仕掛け重量の約５０から７０％を担える浮力を有するフロートを本体の外周の吊下点に吊り下げ、その吊下点から中心角度が９０度から１７０度の範囲の位置に取り付けたバランス用錘と、魚信を目立たせるための目印を具備することを特徴とする自動合わせ回転浮子。
【発明の詳細な説明】
【技術分野】
【０００１】
この発明は、魚の食いつきがよく、かつ、魚信がそのまま針掛りに結びつく釣り用浮子に関する。
【背景技術】
【０００２】
特にヘラブナ釣りや黒鯛釣りなどの繊細な浮子の動きに素早い合わせを必要とする魚釣りに用いる浮子は、細い棒状の浮子、回転式の浮子、寝浮子などさまざまな形状が用いられ、それぞれ独自の特徴を備えてはいるが、その主眼は、ほぼ魚信の視認性の向上及び餌の食いつきの向上に資するものに限られていた。
【０００３】
例えば特許文献１は球形又は円錐形の浮子本体上にその直径と同じ程度の長さの目印を直立させ、本体の回転にあわせて目印を回転させ、回転の半径差により魚信の視認性を高めるものであり、特許文献２及び特許文献３は、本体上下で色を塗り分け、魚信で本体が回転すると色が変わることで魚信の視認性を高めている。
【０００４】
また、従来の細型棒状浮子は、多少の視認性を犠牲にしても目印（いわゆるトップ）を出来るだけ細くしてその浮力による抵抗を抑えて食いつきを良くするものであり、また従来の回転式の浮子は、本体を梃子の原理で回転させるため魚の餌の吸い込み抵抗を減らす特徴を持ち、これが餌の食いつきを良くしていた。
【特許文献１】特開２００５−０４０１１５号公報
【特許文献２】特開平９−２７５８６６号公報
【特許文献３】特開２００６−１０９７０４号公報
【発明の開示】
【発明が解決しようとする課題】
【０００５】
従来の棒状浮子の場合、トップの浮力による抵抗を減らして餌の食いつきを良くしようとすると、トップは細くて浮力の小さいものとなるため視認性が悪くなる欠点があった。また回転式の浮子の場合、特許文献１から特許文献３の浮子のようにいずれも餌の食いつきがよく視認性が高いものに改良されてはいるが、棒状浮子にしても回転式の浮子にしても、警戒心が強い魚にあっては餌の中に釣針を感じた場合は瞬間的に吐き出すため、合わせのタイミングの判断が難しく、なお相当な経験と技術が必要であった。
【０００６】
特許文献１の浮子にあっては、本体に取り付けたバランス用錘には作用点に懸かる仕掛け重量に釣り合うだけの重力モーメントを発生させる必要があり、魚が餌を吸い込む力が弱い場合は、その重力モーメントに負けて釣針を完全に吸い込む前に本体が元の位置に復元してしまい、魚の活性が低く吸い込みが弱い寒期などには適しなかった。
【０００７】
また、特許文献２及び特許文献３にあっては、浮子の頭頂部に道糸を通しているため、魚信によって回転する距離が長くなり、魚が餌をくわえたまま動くか釣針を喉の奥まで飲み込まないと明確な魚信となって表われず、警戒心の強い魚のわずかな浮子の動きに合わせる釣りには向かなかった。
【０００８】
このような従来の棒状浮子や回転式の浮子が有する問題点を解決し、警戒心が強く微妙な魚信しか出さない魚を特別な経験や技術を必要とせず誰もが簡単に釣れるように、自動合わせ機能を備えた浮子を開発することを本発明の課題とした。
【課題を解決するための手段】
【０００９】
上記課題を解決するために本発明の自動合わせ回転浮子は、発泡スチロールなどの浮力の大きな材質で、半径が釣針の全長の約１．０倍から１．５倍で、長さが半径の約２．５倍から４．０倍のほぼ円柱状の本体と、仕掛け重量の約５０から７０％を担える浮力を有するフロートを本体の外周の吊下点に吊り下げ、その吊下点から中心角度が９０度から１７０度の範囲の位置に取り付けたバランス用錘と、魚信を目立たせるための目印を具備することを特徴とする。
【００１０】
本発明の浮子は、魚信がない状態においては、本体の体積の半分程度が水面上に出て、本体の中心と吊下点を結ぶ線が水面とほぼ平行になって浮遊するように吊下点に懸かる仕掛けの重量とバランス用錘の重量及びフロートが担う浮力の大きさを調節する。
【００１１】
魚が餌を吸い込むと、吊下点に下向きの力が懸かり、吊下点は水面に対して最大でも９０度の位置になるまで下方に回転して、その後は本体の強い浮力が懸かるため、魚が餌を吸い込む力ではほとんどこれ以上吊下点を下降させることが出来なくなる。このときの吊下点の下降した距離は、ほぼ本体の半径と同じ距離であり、本体の半径を釣針の全長の約１．０倍から１．５倍に設定してあることから、釣針の全長ともほぼ同じかやや長い程度となる。このため、餌を吸い込む水流に乗って魚の口中に入ってきた釣針は、その「ちもと」付近が魚の唇に当たる辺りまで入ったところで急に止められることになり、水流の力でそのまま魚の唇を支点として上方に回転する。釣針は、魚が吸い込むときには必ず針先が前向きになることが知られており、この釣針の回転により針先が魚の上顎に刺さって魚信に対する合わせが自動的に行われる。
【００１２】
本発明の浮子は、本体がほぼ円柱状であることから、吊下点とバランス用錘に懸かる重量モーメントが本体の重心を支点として均衡している場合、回転式の浮子の特徴である梃子の原理で、魚信による吊下点に懸かる下方向への力は、ほとんどそのまま抵抗なく本体の回転運動に伝えられるため、餌の吸い込み当初の抵抗は小さく、餌の食いつきを滑らかに開始することができる。
【００１３】
魚が餌を吸い込んで吊下点が下方に回転を開始すると、反対にバランス用錘は上方に回転を始め、それに従ってバランス用錘に懸かる重力モーメントも増加する。このため、吸い込む力が弱い場合や魚の活性が低い時期にあっては、釣針を完全に吸い込む前に本体が元の位置に復元してしまうとか、重力モーメントの増加に不自然さを感じて餌をくわえ込む前に吐き出すことが多くなる。そこで本体にフロートを取り付けてその浮力で吊下点に直接懸かる重量を減らし、それに対応してバランス用錘の重量をより軽量化することで、餌を吸い込む際の重力モーメントによる抵抗を小さくし、餌を吸い込む力が弱い場合でも餌の自然な吸い込みを実現することができる。
【００１４】
目印は、軽い材質を用い、遠くからでも見やすい形状で目立つ彩色を施して設置し、視認性を高める。
【発明の効果】
【００１５】
本発明の浮子においては、本体の回転による吊下点の移動した垂直距離と釣針の全長をほぼ同じにしているため、餌を吸い込む水流に乗った釣針は、ほぼ釣針の全長まで下降したところで本体の強い浮力を受けて下降を止められるため、魚の唇を支点に針先を前にして上方に回転し、すぐさま魚の上顎に刺さるから、合わせが自動的に行われる。
【００１６】
また、本体は、本体の重心を支点とする梃子の原理で、魚信をほとんどそのまま抵抗なく回転運動に伝えることができ、そのため餌の食いつきが滑らかに開始する。回転開始後は、バランス用錘が上方に回転してその重力モーメントが増加するが、本発明の浮子では、フロートを取り付けることによりその浮力で、フロートがない場合に比較してバランス用錘の重量をより軽量化でき、餌を吸い込む際の重力モーメントによる抵抗を小さくし、魚信が弱い場合でも餌の自然な吸い込みを実現することができる。
【発明を実施するための最良の形態】
【００１７】
本発明の実施の形態を実施例にもとづき、図面を参照しつつ詳細に説明する。
【実施例】
【００１８】
実施例は、ヘラブナ釣り用の仕掛けの一例であり、図１は、水上で静止し魚信を待つ状態での本発明の浮子の全体説明図である。本実施例においては、本体１は断面半径９ｍｍ、長さ２５ｍｍの円柱状の発泡スチロールを使用し、図１のように本体１の中心から最も短い距離にある外周上の１点を吊下点３としてここに長さ約１０ｍｍ太さ約１ｍｍのリリヤン７の上端を接合し、リリヤン７の下端をフロート２の上端に接合した。さらに本体１には図２のように棒状のバランス用錘４を吊下点３から概ね中心角度１５０度の位置に本体１の外周側面に沿って水平に本体１内部に埋め込み、その重量を１.０ｇとした。また、長さ１５ｍｍ直径１ｍｍのプラスチック製のヘラブナ釣り用軽量パイプトップ目印５をバランス用錘４とは反対側外周で吊下点３から中心角度９０度の位置に設置した。
【００１９】
本体１に吊り下げるフロート２の形状は、水の縦の粘性力による抵抗を極力避けるため、図１、図３のように最も太い部分で直径約７ｍｍ全長約２５ｍｍの発泡スチロール製の流線型の細棒として、浮子部分を除く仕掛け重量の約６０％を担わせ、フロートの穂８は、直径約０．８ｍｍ全長約１５ｍｍのプラスチック製ソリッド棒を使用し、図１のようにその下端を浮子取り付け用ゴム管９に挿入して道糸１１と結合した。
【００２０】
魚１７が餌１５を吸い込むと吊下点３に下向きの力が懸かり、本体１が中心角度で約８０度下方に回転したところで、吊下点３に本体１の強い浮力が懸かって、これ以上魚１７が餌１５を吸い込む力では吊下点３を下降させることができなくなる。本体１の回転開始から停止まではほとんど瞬間的であるため、本実施例を用いた実験によれば、本体１や仕掛けが水中では水の粘性抵抗を受けて、吊下点３が水面に対して９０度の位置まで回転することはほとんどなく、図３のようにフロート２がやや傾いて、中心角度で約８０度回転した位置で下降が止まる。このため、実施例の吊下点３の下降した垂直距離は、本体１の断面半径が９ｍｍであるから約８ｍｍとなる。
【００２１】
実施例では、全長約８ｍｍの釣針を使用したので、餌１５を吸い込む水流に乗って魚１７の口中に入ってきた釣針１４は、その「ちもと」付近が魚１７の唇に当たる辺りまで入ったところで本体１の強い浮力により急に止められることになり、水流の力でそのまま魚１７の唇を支点として上方に回転して、瞬時に魚１７の上顎に刺さり、魚１７が釣針１４の存在に気付いてもこれを吐き出す前に針掛りしてしまう。このとき目印５は吊下点３と同じ距離だけ下向きに回転し、はっきりと針掛りしたことがわかる。
【００２２】
釣針は、魚の口中に吸い込まれるときには、一般的に針先が前向きの状態となることが知られており、また、釣針１４の「ちもと」が魚の唇付近で止まるために必要以上に釣針１４を飲み込むことなく素早く上方に回転して釣針が刺さるため、魚信に合わせたと同様の針掛り効果が得られる。ヘラブナを例にとると、餌を吸い込む時間は約２４分の１秒（「釣りの科学」森秀人著）といわれており、ほとんどこれと同じ時間で針掛りすることになるから、人間が魚信に合わせて針掛りさせる平均的時間が約２分の１秒といわれているのでこれに比較してもはるかに早く針掛りして、その分釣れる確率が高まる。
【００２３】
本実施例に用いた仕掛けは、図１のように竿１６に１号の道糸１１を結び、道糸１１には、ゴム管止め１０で固定した浮子取り付け用ゴム管９を通して本発明の浮子を挿入し、仕掛け上の錘１２、０．４号のハリス１３、全長８ｍｍの釣針１４を取り付けて、これらの重量が約１．８ｇとなった。これに本実施例では、餌１５（水中での重量は浮力を受けて約０．０５ｇ）を加えて、本発明の浮子の重量を除き仕掛け重量を全体で約１．８５ｇとした。本実施例ではフロート２にこの仕掛け重量の約６０％を担わすことにしたので、吊下点３に直接懸かる仕掛けの重さはその約４０％である約０．７４ｇとなった。これに対してバランス用錘４は１.０ｇで吊下点３の下方概ね中心角度１５０度の位置にあり、本体１中心からの水平距離では約７．５ｍｍにあるので吊下点３とバランス用錘４の重力モーメントが本体１の重心を中心としてほぼ均衡し、本体１の中心と吊下点３を結ぶ線が水面６とほぼ平行になって、吊下点３上方の中心角度９０度の位置に設置した目印５は、水面６と鉛直に立直した状態となった。
【００２４】
実施例では、本体１がほぼ円柱状であり、吊下点３とバランス用錘４に懸かる重量モーメントが本体１の重心を支点として均衡しているので、回転式の浮子の特徴である梃子の原理で、魚信による吊下点３に懸かる下方向への力はほとんどそのまま抵抗なく本体１の回転運動に伝えられるため、餌１５の吸い込み始めの抵抗は棒状の浮子などに比較すると極めて小さい。
【００２５】
また、魚１７が餌１５を吸い込んで吊下点３が下方に回転を開始し、反対にバランス用錘４が上方に回転するに従ってバランス用錘４に懸かる重力モーメントも増加するが、本体１にフロート２を取り付けてその浮力で吊下点３に直接懸かる重量を減らし、それに対応してバランス用錘４の重量をより軽量化してあるので、餌の吸い込みが弱くて釣針１４を完全に吸い込む前に本体１が元の位置に復元してしまうとか、魚１７が重力モーメントの増加に不自然さを感じて餌１５をくわえ込む前に吐き出すことが少ない。
【００２６】
本実施例では、図２のようにバランス用錘として本体１の側面に沿って棒状の錘を水平に埋め込んだが、球状の錘などを外付けする方法もある。
【００２７】
目印５は、実施例ではごく軽量のプラスチック製のヘラブナ釣り用パイプトップを中央に１個設置したが数個付けて視認性をさらによくすることもできるし、目印５は直線的な棒状に限らず視認性の良いものであれば形状は問わない。
【００２８】
この浮子は、ヘラブナ釣りを始め、海水、淡水及び水深の上下を問わず宙層にある魚を釣る場合の繊細な魚信に対応する釣り全般に使用できる。本体やフロートの大小及び使用する錘の重量を変えればより多様な魚種に対応できる。
【図面の簡単な説明】
【００２９】
【図１】魚信を待つ状態での本発明の浮子の全体説明図である。
【図２】本体１の正面斜視図である。
【図３】魚が餌を吸い込んだときの全体説明図である。
【符号の説明】
【００３０】
１  本体
２  フロート
３  吊下点
４  バランス用錘
５  目印
６  水面 
７  リリヤン
８  フロートの穂
９  浮子取り付け用ゴム管
１０  ゴム管止め
１１  道糸
１２  仕掛け上の錘
１３  ハリス
１４  釣針
１５  餌
１６  竿
１７  魚
【図１】
2010110271.tif 000003
【図２】
2010110271.tif 000004
【図３】
2010110271.tif 000005
【手続補正書】
【提出日】平成21年7月1日(2009.7.1)
【手続補正１】
【補正対象書類名】特許請求の範囲
【補正対象項目名】請求項１
【補正方法】変更
【補正の内容】
【請求項１】
自動合わせ回転浮子と釣針とを備える魚釣り用仕掛けにおいて、前記自動合わせ回転浮子が、発泡スチロールなどの浮力の大きな材質で、半径が釣針の全長の約１．０倍から１．５倍で、長さが半径の約２．５倍から４．０倍のほぼ円柱状の本体と、該本体の外周の吊下点に吊り下げられ、仕掛け重量の約６０から７０％を担える浮力を有するフロートと、前記吊下点から中心角度が９０度から１７０度の範囲の位置に取り付けたバランス用錘と、魚信を目立たせるための目印を具備することを特徴とする魚釣り用仕掛け。
【手続補正３】
【補正対象書類名】明細書
【補正対象項目名】０００９
【補正方法】変更
【補正の内容】
【０００９】
上記課題を解決するために、本発明の自動合わせ回転浮子と釣針とを備える魚釣り用仕掛けにおいて、前記自動合わせ回転浮子が、発泡スチロールなどの浮力の大きな材質で、半径が釣針の全長の約１．０倍から１．５倍で、長さが半径の約２．５倍から４．０倍のほぼ円柱状の本体と、該本体の外周の吊下点に吊り下げられ、仕掛け重量の約６０から７０％を担える浮力を有するフロートと、前記吊下点から中心角度が９０度から１７０度の範囲の位置に取り付けたバランス用錘と、魚信を目立たせるための目印を具備することを特徴とする。